(57)【要約】【課題】ＢＣＡコードを記録する際に各記録層に与えられるダメージの影響を受けることなく、ＢＣＡコードを取得することができる大容量の情報記録媒体を提供する。【解決手段】記録層Ｌ０，Ｌ１，Ｌ２のＢＣＡコードは、ＢＣＡ領域を光ディスク周方向に分割したＬ０用層情報領域、Ｌ１用層情報領域、およびＬ２用層情報領域のそれぞれに配置されるとともに、Ｌ０用層情報領域、Ｌ１用層情報領域、およびＬ２用層情報領域は、レーザの入射側から見て重ならないように配置されている。【選択図】図１０
2013105505.tif 000002
【特許請求の範囲】
【請求項１】
複数の記録層を有する情報記録媒体であって、
各記録層に関連する層情報がマーク群として当該記録層に記録されており、
各記録層の前記マーク群は、前記情報記録媒体の製造工程において当該情報記録媒体に情報を記録するための媒体情報記録領域を、前記情報記録媒体の周方向に分割した分割領域内に配置されるとともに、情報記録を行うためのレーザの入射側から見て、他の記録層のマーク群と重ならないように配置されていることを特徴とする情報記録媒体。
【請求項２】
前記レーザの入射方向に関して手前側の記録層から奥側の記録層になるにつれて、各記録層の前記マーク群が、前記情報記録媒体の回転方向に従って並ぶように配置されていることを特徴とする請求項１に記載の情報記録媒体。
【請求項３】
各記録層において、当該記録層に対してレーザの入射方向に関する手前側にて位置する記録層に記録された前記マーク群に対向する領域が、何も記録されていない空白領域として配置されているとともに、
当該空白領域よりも前記情報記録媒体の回転方向の上流側に、前記マーク群が配置されていることを特徴とする請求項１に記載の情報記録媒体。
【請求項４】
各記録層において前記マーク群が記録される領域を径方向に規定する両端部について、前記情報記録媒体の回転方向の上流側の端部をマーク群終了端とし、前記情報記録媒体の下流側の端部をマーク群開始端とした場合、
各記録層に係る前記マーク群開始端が、当該記録層に対して前記レーザの入射方向の手前側に位置する記録層に係る前記マーク群終了端よりも、前記情報記録媒体の回転方向の上流側に形成されていることを特徴とする請求項１に記載の情報記録媒体。
【請求項５】
前記マーク群は、前記情報記録媒体の回転中心から放射上に延びるバーコード状の物理マークであることを特徴とする請求項１ないし４のいずれか１項に記載の情報記録媒体。
【請求項６】
サーボガイド層と、複数の記録層とが分離形成された情報記録媒体であって、
前記層情報は、前記複数の記録層のそれぞれを識別するための層識別情報を含み、
前記層識別情報は、前記媒体情報記録領域内に記録されていることを特徴とする請求項１ないし５のいずれか１項に記載の情報記録媒体。
【請求項７】
請求項１ないし６のいずれか１項に記載の情報記録媒体に記録された前記層情報を再生する層情報再生手段と、
前記層情報再生手段にて再生された前記層情報により、アクセスしている記録層を特定する記録層特定手段と、
前記記録層特定手段により特定された記録層において前記媒体情報記録領域の外に記録されているデータを再生するデータ再生手段とを備えていることを特徴とする再生装置。
【請求項８】
請求項１ないし６のいずれか１項に記載の情報記録媒体に記録された前記層情報を再生する層情報再生手段と、
前記層情報再生手段にて再生された前記層情報により、アクセスしている記録層を特定する記録層特定手段と、
前記記録層特定手段により特定された記録層における前記媒体情報記録領域の外の領域に、データを記録するデータ記録手段とを備えていることを特徴とする記録装置。
【請求項９】
前記記録層特定手段は、前記マーク群が記録されていない領域にアクセスした後に再生されるマーク群を層情報として再生することにより、アクセスしている記録層を特定することを特徴とする請求項７に記載の再生装置、または、請求項８に記載の記録装置。
【請求項１０】
前記データ記録手段は、前記記録層特定手段で特定された記録層を示す層識別情報を含むデータを、前記媒体情報記録領域の外に記録することを特徴とする請求項８に記載の記録装置。
【請求項１１】
複数の記録層を持つ情報記録媒体にマーク群を形成するマーク形成装置であって、
前記情報記録媒体の製造工程において当該情報記録媒体に情報を記録するための媒体情報記録領域を、前記情報記録媒体の周方向に分割した分割領域内に、各記録層に関連する層情報をマーク群として当該記録層に記録するための領域を指定する領域指定手段と、
各記録層にマーク群を記録するマーク記録手段とを備えることを特徴とするマーク形成装置。
【請求項１２】
請求項１ないし６のいずれか１項に記載の情報記録媒体に記録された前記層情報を再生する層情報再生ステップと、
前記層情報再生ステップにて再生された前記層情報により、アクセスしている記録層を特定する記録層特定ステップと、
前記記録層特定ステップにより特定された記録層において前記媒体情報記録領域の外に記録されているデータを再生するデータ再生ステップとを備えていることを特徴とする再生方法。
【請求項１３】
請求項１ないし６のいずれか１項に記載の情報記録媒体に記録された前記層情報を再生する層情報再生ステップと、
前記層情報再生ステップにて再生された前記層情報により、アクセスしている記録層を特定する記録層特定ステップと、
前記記録層特定ステップにより特定された記録層における前記媒体情報記録領域の外の領域に、データを記録するデータ記録ステップとを備えていることを特徴とする記録方法。
【請求項１４】
請求項７から１１のいずれか１項に記載の再生装置、記録装置、マーク形成装置のいずれかを動作させる制御プログラムであって、コンピュータを前記の各手段として機能させるための制御プログラム。
【請求項１５】
請求項１４に記載の制御プログラムを記録したコンピュータ読み取り可能な記録媒体。
【発明の詳細な説明】
【技術分野】
【０００１】
本発明は、複数の記録層を有する情報記録媒体および該情報記録媒体に対する情報の記録再生に関する。
【背景技術】
【０００２】
取り扱うデータの大容量化に伴い、データを保存するための光ディスクにも大容量化が必要となる。大容量化を実現する光ディスクとして、複数の記録層を備える光ディスクが存在する。
【０００３】
光ディスクに記録層が複数存在する場合、光ディスクの層の数や構造、各記録層に対する記録および再生に必要な情報を光ディスクに記録する。そして、光ディスク装置は、光ピックアップを用いてそれらの情報を読み出して、光ディスクの構造、最適な記録条件や再生条件の認識に使用する。前記の情報のことを、ディスク情報と呼ぶことにする。
【０００４】
そして、ディスク情報には、（１）光ピックアップがアクセスしている記録層に関連する特有の情報と、（２）光ディスク全体の情報、の２種類が考えられる。
【０００５】
前記（１）に相当する情報としては、例えば、レーザ光の入射側から数えて何番目の記録層であるかを示す層番号情報や、その層で最適な記録・再生を行うための最適記録条件情報、最適再生条件情報などが挙げられる。
【０００６】
また、前記（２）に相当する情報としては、例えば、光ディスク内の全層数の情報や、その光ディスクの製造時に割り振られたＩＤ番号を示す情報や、その光ディスクが複数の層種類（書換型、再生専用型、追記型等）を含むいわゆるハイブリッドディスクの場合、レーザ光の入射側から何層目がどの層種類であるかを示す情報などが挙げられる。
【０００７】
さらに、自身の層以外の層の記録条件情報や再生条件情報を予備的に記録する場合もある。前記のディスク情報は、できるだけ多くの記録層に記録しておけば、光ピックアップがアクセスしやすくなる。
【０００８】
また、複数の記録層を備える光ディスクには、ガイド層と記録層とが分離されておらず一体となっている光ディスクと、記録層とガイド層とが分離形成されたガイド層分離型の光ディスクがある。なお、ガイド層とは位置（アドレス）情報を含むサーボ用情報がガイドトラックとして記録されている層である。
【０００９】
まず、ガイド層と記録層とが分離されておらず一体となっている光ディスクとしては、現在一般に普及しているＤＶＤ(Ｄｉｇｉｔａｌ  Ｖｉｄｅｏ  Ｄｉｓｃ又はＤｉｇｉｔａｌ  Ｖｅｒｓａｔｉｌｅ  Ｄｉｓｃ)や、ＢＤ（Ｂｌｕ−ｒａｙＤｉｓｃ（登録商標））等がある。
【００１０】
ＢＤは、非特許文献１に記載の通り、ＰＩＣ（Ｐｅｒｍａｎｅｎｔ  Ｉｎｆｏｒｍａｔｉｏｎ＆Ｃｏｎｔｒｏｌ  Ｄａｔａ）領域があり、ガイドトラックを高速に変調することで光ディスクの構造や光ディスクの記録時に必要なディスク情報などが記録されている。書換型のＢＤ−ＲＥと再生専用型のＢＤ−ＲＯＭはいずれも２層の記録層を持つ場合、ＰＩＣがＬ０層とＬ１層に記録されている。なお、追記型のＢＤ−ＲではＬ０層のみに記録されている。
【００１１】
そして、前記のように、ディスク情報の入ったガイドトラックを持つ記録層を形成するためには、トラック溝を形成したスタンパを作成し、そのスタンパにてプレスを行うことになる。したがって、複数の記録層に対して、それぞれの層に対応したスタンパを準備することが必要になる。
【００１２】
そのため、もし、ある記録層の積層の条件が変更された場合、その層だけでなく、他の層の記録・再生のための最適条件が変化する場合もあるし、その光ディスクの全体の情報も変化する場合もある。これに伴い、変更後のディスク情報の入ったスタンパを新たに作成しなければならなくなり、コストがかかることになってしまう。
【００１３】
次に、記録層とガイド層とが分離形成されたガイド層分離型の光ディスクについて説明する。ガイド層分離型の光ディスクに対して記録および再生を行う装置には、ガイド層からガイドトラックを読み取るためのサーボ用のレーザ光と、記録層に対して情報を書き込む又は記録情報を読み取るための記録再生用のレーザ光とが必要となる。そして、１つの記録層への情報記録時には、サーボ用のレーザ光の焦点位置をトラッキング制御によりガイド層のガイドトラック上を移動させつつ、記録再生用のレーザ光で１つの記録層に対して集光させて情報を書き込む（特許文献１参照）。
【００１４】
このようなガイド層分離型の光ディスクは、簡単な構造の記録層が積層されるため、容易に製造することができる。また、ガイド層と記録層とが分離されておらず一体となっている光ディスクでは、記録層の数が増えるほど、ガイドトラックの製造精度が厳密になるのに対して、ガイド層分離型の光ディスクは記録層の多層化が容易である。
【００１５】
しかしながら、ガイド層分離型の光ディスクの各記録層に対して記録および再生を行うには、各記録層を区別するために、各記録層に自身の層を識別するためのディスク情報が必要となる。しかしながら、製造を容易するために簡単な構造の記録層を積層しているガイド層分離型のディスクは、各層を区別するためのディスク情報を凹凸やウォブルで記録することができない。
【００１６】
以上より、ガイド層と記録層とが分離されておらず一体となっている光ディスクと、記録層とガイド層とが分離形成されたガイド層分離型の光ディスクのいずれにおいても、複数の記録層を積層した後にディスク情報を記録できることが望ましい。そして、記録層の積層後にディスク情報を記録する方法として、ＢＣＡ(Ｂｕｒｓｔ  Ｃｕｔｔｉｎｇ  Ａｒｅａ)コードを利用する方法が存在する。
【００１７】
そして、近年のＤＶＤやＢＤ等の光ディスクにおいては、ディスク最内周にＢＣＡコードなるバーコード状のデータが記録される場合がある。このＢＣＡコードは、主に著作権保護を目的とするものである。そして、ディスク製造後に高出力レーザを使用した専用装置を用いて、反射膜の一部を半径方向が長手である長方形に除去し、低反射部を生成することによりディスク一回転範囲内に記録されるバーコード状のデータが、ＢＣＡコードとされる。光ディスクにＢＣＡを記録する方法および装置に関する技術が記載された文献としては、例えば下記の特許文献２が挙げられる。
【００１８】
また、特許文献３には、２層型の光ディスクの２層記録層のそれぞれに対して、ＢＣＡコードを記録することが記載されている。ここでは、高出力レーザを使用した専用装置を用いるのではなく、半導体レーザを照射してＢＣＡコードを記録することが記載されている。
【先行技術文献】
【特許文献】
【００１９】
【特許文献１】特開２００１−５２３７４号公報（２００１年２月２３日公開）
【特許文献２】特開２０００−２１５６０３号公報（２０００年８月４日公開）
【特許文献３】特開２００７−７３１２２号公報（２００７年３月２２日公開）
【非特許文献】
【００２０】
【非特許文献１】小川博司、田中伸一監修「ブルーレイディスク読本」オーム社、平成１８年１２月１０日発行、P.161-162
【発明の概要】
【発明が解決しようとする課題】
【００２１】
特許文献３のように、高出力レーザを使用した専用装置を用いるのではなく、半導体レーザを照射してＢＣＡコードを記録する場合、ユーザが通常の光ディスク装置で容易にＢＣＡコードの記録されている領域にデータを記録できてしまう。すなわち、誤って他のデータを上書きしてしまい、ＢＣＡコードで与えられたディスク情報を壊してしまう可能性がある。また、ユーザがＢＣＡコードを不正に記録することも防ぐ必要がある。そのため、ＢＣＡコードはユーザが容易に使用できない、高出力のレーザ光を利用した専用装置で記録することが望ましい。
【００２２】
しかしながら、ディスク情報に光ピックアップがアクセスしやすくするために複数の記録層に対してディスク情報をＢＣＡコードで記録する際に、レーザ光の入射側から見て奥の記録層にレーザ光を照射してＢＣＡコードを記録すると、レーザ光の入射側から見て手前の記録層の膜にダメージを与えてしまう。
【００２３】
本発明は、前記従来の問題点に鑑みなされたものであって、ＢＣＡコードを記録する際に各記録層に与えられるダメージの影響を受けることなく、記録層に関連する層情報としてＢＣＡコードを取得することができる大容量の情報記録媒体を提供することを課題としている。さらに、本発明は、当該情報記録媒体に用いられる再生装置、記録装置、マーク形成装置、再生方法、記録方法、制御プログラム、およびコンピュータ読み取り可能な記録媒体を提供することも課題としている。
【課題を解決するための手段】
【００２４】
本発明の情報記録媒体は、前記課題を解決するために、複数の記録層を有する情報記録媒体であって、各記録層に関連する層情報がマーク群として当該記録層に記録されており、各記録層の前記マーク群は、前記情報記録媒体の製造工程において当該情報記録媒体に情報を記録するための媒体情報記録領域を、前記情報記録媒体の周方向に分割した分割領域内に配置されるとともに、情報記録を行うためのレーザの入射側から見て、他の記録層のマーク群と重ならないように配置されていることを特徴としている。
【００２５】
前記構成によれば、各記録層の層情報に係るマーク群が、情報記録を行うためのレーザの入射側から見て、他の記録層の層情報に係るマーク群と重ならないように配置されている。したがって、各記録層においては、層情報に係るマーク群と、他の記録層にマーク群を記録する際に与えられるダメージとが、ずらされて形成されている。
【００２６】
よって、情報記録媒体の記録／再生装置が、各記録層にアクセスして当該記録層に記録された前記マーク群を再生する際、他の記録層に前記マーク群を記録したときに与えられたダメージの影響を受けることを防止できる。これにより、アクセスしている記録層に関連する層情報を正しく取得することが可能となる。
【００２７】
また、各記録層のマーク群は、媒体情報記録領域を情報記録媒体の周方向に分割した分割領域内に配置されている。媒体情報記録領域を情報記録媒体の径方向に分割した領域内に層情報に係るマーク群を形成するよりも、層情報に係るマーク群を記録するための領域を小さくすることができる。
【００２８】
これにより、層情報以外の情報として、ユーザないしメーカが記録／再生可能なユーザデータのための領域を情報記録媒体内に多く確保することができ、記録領域を有効活用することができる大容量の情報記録媒体を提供することができる。
【００２９】
また、本発明の情報記録媒体は、前記構成の情報記録媒体において、前記レーザの入射方向に関して手前側の記録層から奥側の記録層になるにつれて、各記録層の前記マーク群が、前記情報記録媒体の回転方向に従って並ぶように配置されていることが好ましい。
【００３０】
前記構成によれば、各記録層において層情報が記録されたマーク群が、情報記録媒体の回転方向に従って並ぶように配置されているので、ある記録層の層情報を取得してから他の記録層の層情報を取得する際、情報記録媒体の径方向についての光ピックアップの移動量を低減できる。これにより、各記録層に係る層情報を効率的に取得することが可能となる。
【００３１】
また、本発明の情報記録媒体は、前記構成の情報記録媒体の各記録層において、当該記録層に対してレーザの入射方向に関する手前側にて位置する記録層に記録された前記マーク群に対向する領域が、何も記録されていない空白領域として配置されているとともに、当該空白領域よりも前記情報記録媒体の回転方向の上流側に、前記マーク群が配置されていることが好ましい。
【００３２】
前記構成によれば、情報記録媒体の再生／記録装置が、ある記録層に記録された層情報に係るマーク群をＢＣＡコードとして読み出す場合、空白領域の後に再生されるマーク群をＢＣＡコードとして読み出すという簡易かつ確実な処理により、各記録層に係る層情報を正しく取得することができる。
【００３３】
また、本発明の情報記録媒体は、前記構成の情報記録媒体の各記録層において前記マーク群が記録される領域を径方向に規定する両端部につき、前記情報記録媒体の回転方向の上流側の端部をマーク群終了端とし、前記情報記録媒体の下流側の端部をマーク群開始端とした場合、各記録層に係る前記マーク群開始端が、当該記録層に対して前記レーザの入射方向の手前側に位置する記録層に係る前記マーク群終了端よりも、前記情報記録媒体の回転方向の上流側に形成されていることが好ましい。
【００３４】
前記構成によれば、各記録層においては、層情報に係るマーク群に対して、レーザ入射方向の奥側の記録層に層情報を記録した際に与えられるダメージが、情報記録媒体の回転方向の上流側に形成される。したがって、レーザ光の入射側から見て奥側の記録層に層情報に係るマーク群を記録したときに与えられた現在アクセスしている記録層へのダメージを、誤って現在アクセスしている記録層の層情報であると誤検出することを的確に防止し、正しく層情報を検出することが可能となる。
【００３５】
また、本発明の情報記録媒体は、前記構成の情報記録媒体において、前記マーク群が、前記情報記録媒体の回転中心から放射上に延びるバーコード状の物理マークであることが好ましい。
【００３６】
前記構成によれば、情報記録媒体の記録／再生装置は、層情報に係るマーク群が記録されている領域でトラッキングサーボをかけることなく、層情報を容易に読み取ることが可能となる。
【００３７】
また、本発明の情報記録媒体は、サーボガイド層と、複数の記録層とが分離形成された情報記録媒体であって、前記層情報は、前記複数の記録層のそれぞれを識別するための層識別情報を含み、前記層識別情報は、前記媒体情報記録領域内に記録されていることが好ましい。
【００３８】
前記構成によれば、サーボガイド層を用いてトラッキングサーボを行うことができるとともに、当該サーボガイド層と分離形成された記録層内に層識別情報が記録される。したがって、各記録層を区別するための層識別情報を凹凸やウォブルの形で情報記録媒体に持たせる必要がなくなる。それゆえ、簡単な構造の記録層を積層することができるため、容易に製造可能な情報記録媒体を提供することができる。
【００３９】
また、本発明の再生装置は、前記構成の情報記録媒体に記録された前記層情報を再生する層情報再生手段と、前記層情報再生手段にて再生された前記層情報により、アクセスしている記録層を特定する記録層特定手段と、前記記録層特定手段により特定された記録層において前記媒体情報記録領域の外に記録されているデータを再生するデータ再生手段とを備えていることを特徴とする。
【００４０】
また、本発明に係る再生方法は、前記構成の情報記録媒体に記録された前記層情報を再生する層情報再生ステップと、前記層情報再生ステップにて再生された前記層情報により、アクセスしている記録層を特定する記録層特定ステップと、前記記録層特定ステップにより特定された記録層において前記媒体情報記録領域の外に記録されているデータを再生するデータ再生ステップとを備えていることを特徴としている。
【００４１】
前記構成の再生装置および再生方法によれば、情報記録媒体の媒体情報記録領域にアクセスし、当該領域内に記録された層情報に係るマーク群を再生する際、他の記録層にマーク群を記録したときに与えられたダメージの影響を受けることなく、アクセスしている記録層に関連する層情報を正しく取得することができる。これにより、現在アクセスしている記録層が所望の記録層であるか否かを、取得された層情報により正しく判断することができる。
【００４２】
そして、現在アクセスしている記録層が所望の記録層であれば、直ちに、当該記録層において媒体情報記録領域の外に記録されているデータを再生することが可能となる。また、現在アクセスしている記録層が所望の記録層でなければ、所望の記録層に記録されたデータを読み取ることが可能なように、直ちに光ピックアップを移動させることが可能となる。これにより、大容量の情報記録媒体に対応した的確な情報再生が可能となる。
【００４３】
また、本発明の記録装置は、前記構成の情報記録媒体に記録された前記層情報を再生する層情報再生手段と、前記層情報再生手段にて再生された前記層情報により、アクセスしている記録層を特定する記録層特定手段と、前記記録層特定手段により特定された記録層における前記媒体情報記録領域の外の領域に、データを記録するデータ記録手段とを備えていることを特徴とする。
【００４４】
また、本発明の記録方法は、前記構成の情報記録媒体に記録された前記層情報を再生する層情報再生ステップと、前記層情報再生ステップにて再生された前記層情報により、アクセスしている記録層を特定する記録層特定ステップと、前記記録層特定ステップにより特定された記録層における前記媒体情報記録領域の外の領域に、データを記録するデータ記録ステップとを備えていることを特徴としている。
【００４５】
前記構成によれば、情報記録媒体の媒体情報記録領域にアクセスし、当該領域内に記録された層情報に係るマーク群を再生する際、他の記録層にマーク群を記録したときに与えられたダメージの影響を受けることなく、アクセスしている記録層に関連する層情報を正しく取得することができる。これにより、現在アクセスしている記録層が所望の記録層であるか否かを、取得された層情報により正しく判断することができる。
【００４６】
そして、現在アクセスしている記録層が所望の記録層であれば、直ちに、当該記録層において媒体情報記録領域の外に所望のデータを記録することが可能となる。また、現在アクセスしている記録層が所望の記録層でなければ、所望の記録層にデータを記録することが可能なように、直ちに光ピックアップを移動させることが可能となる。これにより、大容量の情報記録媒体に対応した的確な情報記録が可能となる。
【００４７】
また、本発明の再生装置ないし記録装置は、前記記録層特定手段が、前記マーク群が記録されていない領域にアクセスした後に再生されるマーク群を層情報として再生することにより、アクセスしている記録層を特定することが好ましい。
【００４８】
前記構成によれば、ある記録層に記録された層情報に係るマーク群をＢＣＡコードとして読み出す場合、空白領域の後に再生されるマーク群をＢＣＡコードとして読み出すという簡易かつ確実な処理により、各記録層に係る層情報を正しく取得することができる。
【００４９】
また、本発明の記録装置は、前記構成の記録装置において、前記データ記録手段が、前記記録層特定手段で特定された記録層を示す層識別情報を含むデータを、前記媒体情報記録領域の外に記録することが好ましい。
【００５０】
前記構成によれば、媒体情報記録領域の外の領域（ユーザ領域）に層識別情報が予め記録されていない情報記録媒体に対しても、ユーザ領域に層識別情報を記録することが可能となる。これにより、アクセスされている記録層を特定できる情報記録媒体を提供することができる。
【００５１】
また、本発明に係るマーク形成装置は、前記課題を解決するために、複数の記録層を持つ情報記録媒体にマーク群を形成するマーク形成装置であって、前記情報記録媒体の製造工程において当該情報記録媒体に情報を記録するための媒体情報記録領域を、前記情報記録媒体の周方向に分割した分割領域内に、各記録層に関連する層情報をマーク群として当該記録層に記録するための領域を指定する領域指定手段と、各記録層にマーク群を記録するマーク記録手段とを備えていることを特徴とする。
【００５２】
前記構成によれば、各記録層の層情報に係るマーク群が、情報記録を行うためのレーザの入射側から見て、他の記録層の層情報に係るマーク群と重ならないように形成される。すなわち、各記録層においては、層情報に係るマーク群と、他の記録層にマーク群を記録する際に与えられるダメージとが、ずらされて形成されている。
【００５３】
よって、情報記録媒体の記録／再生装置が、各記録層にアクセスして当該記録層に記録された前記マーク群を再生する際、他の記録層に前記マーク群を記録したときに与えられたダメージの影響を受けることを防止できる。これにより、アクセスしている記録層に関連する層情報を正しく取得することが可能となる。
【００５４】
また、各記録層のマーク群は、媒体情報記録領域を情報記録媒体の周方向に分割した分割領域内に配置されている。これにより、媒体情報記録領域を情報記録媒体の径方向に分割した領域内に層情報に係るマーク群を形成するよりも、層情報に係るマーク群を記録するための領域を小さくすることができる。
【００５５】
さらに、層情報以外の情報として、ユーザないしメーカが記録／再生可能なユーザデータのための領域を情報記録媒体内に多く確保することができ、記録領域を有効活用することができる情報記録媒体を提供することができる。
【００５６】
また、本発明の制御プログラムは、前記記載の再生装置、記録装置、マーク形成装置のいずれかを動作させる制御プログラムであって、コンピュータを前記の各手段として機能させるための制御プログラムである。
【００５７】
前記構成の制御プログラムによれば、前記構成の記録装置、再生装置、マーク形成装置のいずれかをコンピュータ上で動作させることが可能となる。
【００５８】
また、本発明のコンピュータ読み取り可能な記録媒体は、前記制御プログラムを記録していることを特徴とする。
【００５９】
前記構成のコンピュータ読み取り可能な記録媒体に記録されたプログラムをコンピュータに読み取らせることにより、そのコンピュータを、本発明に係る記録装置、再生装置、マーク形成装置として機能させることが可能となる。
【発明の効果】
【００６０】
本発明によれば、ＢＣＡコードを記録する際に各記録層に与えられるダメージの影響を受けることなくＢＣＡコードを取得することができ、なおかつ大容量の情報記録媒体を提供することができる。
【図面の簡単な説明】
【００６１】
【図１】本発明に係る光ディスク装置の概略構成を示すブロック図である。
【図２】図１の光ディスク装置における主要部の構成を示すブロック図である。
【図３】本発明に係る光ディスクを示す斜視図である。
【図４】図３の光ディスクにおける各領域を示す斜視図である。
【図５】本発明に係るＢＣＡコード記録装置の概略構成を示すブロック図である。
【図６】図３の光ディスクに記録されるＢＣＡコードを示す図である。
【図７】図３の光ディスク上にＢＣＡコードが記録される領域を示す図である。
【図８】（ａ）は、図３の光ディスク上にＢＣＡコードが記録される領域を示す図であり、（ｂ）は、Ｌ０用層情報領域を示す図であり、（ｃ）は、Ｌ１用層情報領域を示す図である。
【図９】（ａ）は、図３の光ディスク上にＢＣＡコードが記録される領域を示す図であり、（ｂ）は、Ｌ１用層情報領域を示す図であり、（ｃ）は、Ｌ２用層情報領域を示す図である。
【図１０】図３の光ディスクの各記録層にＢＣＡコードが記録される領域を示す図である。
【図１１】図３の光ディスクにおける記録層Ｌ０に記録される層情報を示す図である。
【図１２】図３の光ディスクにおける記録層Ｌ１に記録される層情報を示す図である。
【図１３】図３の光ディスクにおける記録層Ｌ２に記録される層情報を示す図である。
【図１４】図１の光ディスク装置における記録動作の一例を示すフローチャートである。
【図１５】図１の光ディスク装置における再生動作の一例を示すフローチャートである。
【図１６】本発明の一実施形態に係る光ディスクを示す斜視図である。
【図１７】本発明に係るガイド層付き光ディスクに対応した光ディスク装置の概略構成を示すブロック図である。
【発明を実施するための形態】
【００６２】
（実施形態１）
本発明の実施の一形態について図１乃至１５を用いて説明すれば、以下の通りである。
【００６３】
〔光ディスクの構成〕
まず、本発明に含まれる複数の記録層を持つ光ディスク（情報記録媒体）の一例として、片面から再生することのできる３層の光ディスク１０について説明する。
【００６４】
光ディスク１０は、図３に示す如く、記録層（Ｌ０，Ｌ１，Ｌ２）を３面持つ片面３面の光ディスクである。すなわち、光ディスク１０は、基板上に形成され反射層を伴う記録層Ｌ０と、記録層Ｌ０の上に形成され半透明状態の反射層を伴う記録層Ｌ１と、記録層Ｌ１の上に形成され半透明状態の反射層を伴う記録層Ｌ２とを備えている。そして、記録層Ｌ０と記録層Ｌ１との間、および、記録層Ｌ１と記録層Ｌ２との間には、数１０μｍ程度の透明状態の中間層が挟み込まれている。この片面３層光ディスク１０は、記録層Ｌ１および記録層Ｌ２がレーザ光の一部が半透明状態により透過する構造であるため、片面からレーザ光を照射することによって各記録層に記録された情報を再生可能である。
【００６５】
〔ＢＣＡコード記録装置の説明〕
ＢＣＡコード記録装置（マーク形成装置）は、図４に示すように、光ディスク１０の内周側に位置するＢＣＡ領域（媒体情報記録領域）４１にＢＣＡコード（マーク群）を記録する。また、ＢＣＡ領域４１の外周側には、ユーザ領域（媒体情報記録領域の外の領域）４２が存在する。ユーザ領域４２への記録動作は、一般に知られた動作と同様である。
【００６６】
なお、ＢＣＡ領域とは、光ディスクの製造工程において光ディスクに情報をＢＣＡコードとして記録するための領域であり、「媒体情報記録領域」と表現することもできる。また、図４には、ＢＣＡ領域４１に隣接するようにユーザ領域４２が存在する例を示しているが、本発明はこれに限られない。すなわち、ユーザ領域４２は、ＢＣＡ領域４１との間に別の領域を持っていてもよい。さらに、ユーザ領域４２は、ＢＣＡ領域４１の外周側に存在していることが望ましいが、内周側であってもよい。
【００６７】
次いで、図５に基づき、本発明に係るＢＣＡコード記録装置（マーク形成装置）５０の構成について説明する。図５に示すように、ＢＣＡコード記録装置５０は、駆動回路群５５と、光ヘッド５１と、光ピックアップ５２と、制御部５６と、格納部５７と、スピンドルモータ５８と、エンコーダ５９とを備えている。また、駆動回路群５５は、主として光ピックアップ駆動回路５３と、レーザ駆動回路５４とを備えている。
【００６８】
なお、上述のＢＣＡコード記録装置５０における駆動回路群５０および光ヘッド５１がマーク記録手段を構成し、光ピックアップ５２、制御部５６、格納部５７、スピンドルモーダ５８、およびエンコーダ５９が領域指定手段を構成する。
【００６９】
以上の構成により、ＢＣＡコード記録装置５０は、光ディスク（ＤＶＤやＢＤ等）１０に対してＢＣＡコードの記録を行う。
【００７０】
さらに、ＢＣＡコード記録装置５０では、回転する光ディスク１０の図示しないＢＣＡ領域へ、制御部５６が光ピックアップ駆動回路５３を介して光ピックアップ５２を移動させるようになっている。そして、光ピックアップ５２は、片面３層の光ディスク１０の、各記録層に層間移動できるようになっている。層間移動が行われる際には、例えば、移動した層の数のカウント数が利用される。
【００７１】
また、光ピックアップ５２には、光ヘッド５１が設けられている。そして、制御部５６がレーザ駆動回路５４を介して記録条件を設定し、光ヘッド５１からＢＣＡコード記録用の高出力のレーザ光を光ディスク１０の記録部位に照射することによって、光ディスク１０にＢＣＡコードが記録されるようになっている。例えば、ディスク半径方向に向かって長い直線状のレーザスポットを形成することにより、ＢＣＡコードが記録される。
【００７２】
格納部５７は、ＢＣＡコードとして記録するデータやその記録条件を予め記録したり、あるいは各種データが記録される記録部である。格納部５７は、ＲＡＭ（ｒａｎｄｏｍ  ａｃｃｅｓｓ  ｍｅｍｏｒｙ）で構成されていることが好ましいが、ＲＯＭを併用する構成であっても良い。
【００７３】
スピンドルモータ５８は、光ディスク１０を所定の回転数で回転駆動させる。エンコーダ５９は、該スピンドルモータ５８の回転に応じたディスクの回転角を検出し、その検出信号を制御部５６に入力する。制御部５６は、ディスクの回転角に同期して発生するクロック信号を基に、各記録層における記録領域を決定し、その領域内に記録するための信号をレーザ駆動回路５４に入力する。
【００７４】
〔ＢＣＡコードの説明〕
本実施形態１に係るＢＣＡコード記録装置５０により記録した光ディスク１０は、図６に示す如く、光ディスク１０の内周側のＢＣＡ領域４１に、ディスクの回転中心から放射上に延びるバーコード状にＢＣＡコード（バー及びスペースから成るキャラクタ）がディスク周方向に形成される。これにより、後述する光ディスク装置１は、ＢＣＡコードが記録されている領域でトラッキングサーボをかけることなく、ＢＣＡコードを容易に読み取ることが可能となる。
【００７５】
〔ＢＣＡコード記録の説明〕
本実施形態１に係るＢＣＡコードの記録について、図７乃至１３を用いて説明する。
図７、８、９は、光ディスク１０をレーザ入射側から見た図であり、これらの図に示されるように、ＢＣＡ領域４１は、光ディスク１０の周方向に４個の領域に分割されている。これらの分割された領域（分割領域）を、ディスク回転方向の上流側から下流側に順番に、Ｌ０用層情報領域、Ｌ１用層情報領域、Ｌ２用層情報領域、空白領域と呼ぶ。
【００７６】
図７は、レーザ入射側から見た光ディスク１０の記録層Ｌ０を示す図であり、図７に示すように、光ディスク１０の記録層Ｌ０に対して、ＢＣＡコードが記録されている。ＢＣＡコード記録装置５０の光ピックアップ５２は、記録層Ｌ０にアクセスし、エンコーダ５９による回転角の検出結果に基づいて、ＢＣＡコード記録用の高出力のレーザ光をＬ０用層情報領域に出射し、Ｌ０用層情報をＢＣＡコード（マーク群）として記録する。
【００７７】
図１１には、Ｌ０用層情報の一例を示す。光ディスク１０に含まれる記録層の層数として“３”、現在の記録層の層番号（層識別情報）として“Ｌ０”、光ディスク１０に含まれる記録層の各層の層種類として、“Ｌ０：追記型、Ｌ１：追記型、Ｌ２：追記型”を示す情報が含まれている。また、Ｌ０用の記録条件として、例えば、光ディスク１０のユーザ領域４２にデータを記録するための、記録出射波形のパルスのタイミングを示す情報や記録パワーの情報が記録されている。さらに、Ｌ０用再生条件として、光ディスク１０のユーザ領域４２に記録されたデータを再生するための、サーボ条件や再生パワーの情報が記録されている。また、Ｌ１用記録条件、Ｌ１用再生条件、Ｌ２用記録条件、Ｌ２用再生条件が記録されている。
【００７８】
前述の通り、ディスク情報には、（１）光ピックアップがアクセスしている記録層に関連する特有の情報と、（２）光ディスク全体の情報、の２種類がある。Ｌ０用層情報のうち、層番号、Ｌ０の層種類、Ｌ０用記録条件、Ｌ０用再生条件は、（１）に対応する。そして、層番号を検出することにより、後述する光ディスク装置１は現在アクセスしている層を認識することができ、Ｌ０の層種類の情報により、その層がどのような種類かを知ることができる。そして、光ディスク装置１は、Ｌ０用記録条件およびＬ０用再生条件を知り、ユーザ領域４２への記録および再生に使用することができる。
【００７９】
一方、層数、Ｌ１およびＬ２の層種類、Ｌ１用記録条件、Ｌ１用再生条件、Ｌ２用記録条件、およびＬ２用再生条件は前記（２）の種類に係るディスク情報に対応する。そして、これらの情報は、現在アクセスしている記録層から他の記録層へ移動した際に利用できる情報である。そして、この情報は、現在アクセスしている記録層から他の記録層へ移動するまでに入手することができる。
【００８０】
図８（ａ）は、レーザ入射側から見た光ディスク１０の記録層Ｌ１を示す図であり、図８（ａ）に示すように、記録層Ｌ１に対してＢＣＡコードが記録されている。
【００８１】
ＢＣＡコード記録装置５０の光ピックアップ５２は、記録層Ｌ１にアクセスし、エンコーダ５９による回転角の検出結果に基づいて、ＢＣＡコード記録用の高出力のレーザ光をＬ１用層情報領域に出射し、Ｌ１用層情報をＢＣＡコード（マーク群）として記録する。Ｌ１用層情報領域は、レーザ入射側から見て、Ｌ０用層情報領域に対してディスク回転方向側において隣接する領域である。
【００８２】
また、記録層Ｌ０に対して高出力のレーザ光を照射してＢＣＡコードを記録するため、記録層Ｌ１にはその記録の際のレーザ跡が残る。そのため、記録層Ｌ０に記録するＢＣＡコードと、記録層Ｌ０に対してレーザ入射方向の手前に位置する記録層Ｌ１に記録するＢＣＡコードとは、レーザ光の入射側から見て重ならないように配置されている。
【００８３】
ここで、「記録層Ｌ０に記録するＢＣＡコードと、記録層Ｌ１に記録するＢＣＡコードとが重ならない」という表現の意義について、以下により具体的に説明する。この具体的な説明を行うため、図８（ｂ）に示すように、Ｌ０用層情報領域を径方向に規定する両端について、光ディスクの回転方向の上流側の端部をマーク群終了端と定義し、光ディスクの回転方向の下流側の端部をマーク群開始端と定義する。また、図８（ｃ）に示すように、Ｌ１用層情報領域を径方向に規定する両端部について、光ディスクの回転方向の上流側の端部をマーク群終了端と定義し、光ディスクの回転方向の下流側の端部をマーク群開始端と定義する。
【００８４】
そして、このように記録層Ｌ０および記録層Ｌ１における層情報領域を定義した場合、図１０に示すように、記録層Ｌ０に係るマーク群開始端は、記録層Ｌ１（記録層Ｌ０に対してレーザの入射方向の手前側に位置する記録層）に係るマーク群終了端よりも、光ディスクの回転方向の上流側に形成されている。
【００８５】
このように、記録層Ｌ０に係るマーク群開始端を、記録層Ｌ１に係るマーク群終了端よりも光ディスクの回転方向上流側に形成することにより、レーザ光の入射側から見て、記録層Ｌ０に記録されるＢＣＡコードと、記録層Ｌ１に記録されるＢＣＡコードとは、重ならない状態とされている。
【００８６】
図１２には、Ｌ１用層情報の一例を示す。図１１と同様、光ディスク１０に含まれる記録層の層数として“３”、現在の記録層の層番号として“Ｌ１”、光ディスク１０に含まれる記録層の各層の層種類として、“Ｌ０：追記型、Ｌ１：追記型、Ｌ２：追記型”を示す情報が記録されている。その他、Ｌ０用記録条件、Ｌ０用再生条件、Ｌ１用記録条件、Ｌ１用再生条件、Ｌ２用記録条件、およびＬ２用再生条件が記録されている。
【００８７】
図９（ａ）は、レーザ入射側から見た光ディスク１０の記録層Ｌ２を示す図であり、図９（ａ）に示すように、記録層Ｌ２に対してＢＣＡコードが記録されている。ＢＣＡコード記録装置５０の光ピックアップ５２は、記録層Ｌ２にアクセスし、エンコーダ５９による回転角の検出結果に基づいて、ＢＣＡコード記録用の高出力のレーザ光をＬ２用層情報領域に出射し、Ｌ２用層情報をＢＣＡコード（マーク群）として記録する。Ｌ２用層情報領域は、レーザ入射側から見て、Ｌ１用層情報領域に対してディスク回転方向側に隣接する領域である。
【００８８】
また、記録層Ｌ０、Ｌ１に対して高出力のレーザ光を照射してＢＣＡコードを記録するため、記録層Ｌ２にはそれらの記録の際のレーザ跡が残る。そのため、記録層Ｌ１に記録するＢＣＡコードと、記録層Ｌ１に対してレーザ入射方向の手前に位置する記録層Ｌ２に記録するＢＣＡコードとは、レーザ光の入射側から見て重ならないように配置されている。因みに、記録層Ｌ１に記録するＢＣＡコードと、記録層Ｌ０に記録するＢＣＡコードとは、レーザ光の入射側から見て重ならないように配置されている。
【００８９】
ここで、「記録層Ｌ１に記録するＢＣＡコードと、記録層Ｌ２に記録するＢＣＡコードとが重ならない」という表現の意義について、以下により具体的に説明する。この具体的な説明を行うため、図９（ｂ）に示すように、Ｌ１用層情報領域を径方向に規定する両端について、光ディスクの回転方向の上流側の端部をマーク群終了端と定義し、光ディスクの回転方向の下流側の端部をマーク群開始端と定義する。また、図９（ｃ）に示すように、Ｌ２用層情報領域を径方向に規定する両端部について、光ディスクの回転方向の上流側の端部をマーク群終了端と定義し、光ディスクの回転方向の下流側の端部をマーク群開始端と定義する。
【００９０】
そして、このように記録層Ｌ１および記録層Ｌ２における層情報領域を定義した場合、図１０に示すように、記録層Ｌ１に係るマーク群開始端は、記録層Ｌ２（記録層Ｌ１に対してレーザの入射方向の手前側に位置する記録層）に係るマーク群終了端よりも、光ディスクの回転方向の上流側に形成されている。
【００９１】
このように、記録層Ｌ１に係るマーク群開始端を、記録層Ｌ２に係るマーク群終了端よりも光ディスクの回転方向上流側に形成することにより、レーザ光の入射側から見て、記録層Ｌ１に記録されるＢＣＡコードと、記録層Ｌ２に記録されるＢＣＡコードとは、重ならない状態とされている。
【００９２】
さらに、図１０に示すように、レーザの入射方向に関して手前側の記録層（記録層Ｌ２）から奥側の記録層（Ｌ０）になるにつれて、各記録層に記録されたマーク群は、光ディスクの回転方向に従って並ぶように配置されている。すなわち、記録層Ｌ２におけるＬ２用層情報領域は、記録層Ｌ１におけるＬ１用層情報領域よりも、光ディスクの回転方向の下流側に配置されている。そして、記録層Ｌ１におけるＬ１用層情報領域は、記録層Ｌ０におけるＬ０用層情報領域よりも、光ディスクの回転方向の下流側に配置されている。
【００９３】
図１３には、Ｌ２用層情報の一例を示す。図１１、図１２と同様、光ディスク１０に含まれる記録層の層数として“３”、現在の記録層の層番号として“Ｌ２”、光ディスク１０に含まれる記録層の各層の層種類として、“Ｌ０：追記型、Ｌ１：追記型、Ｌ２：追記型”を示す情報が記録されている。また、Ｌ０用記録条件、Ｌ０用再生条件、Ｌ１用記録条件、Ｌ１用再生条件、Ｌ２用記録条件、Ｌ２用再生条件が記録されている。
【００９４】
また、図１０に示すように、レーザ光の入射側から見て、一番手前の記録層である記録層Ｌ２では、空白領域には何も記録されておらず、Ｌ２用層情報領域にはＬ２用層情報が記録されている。そして、Ｌ１用層情報領域およびＬ０用層情報領域には、それぞれレーザ跡が存在している。
【００９５】
また、レーザ光の入射側から見て、２番目の記録層である記録層Ｌ１では、空白領域とＬ２用層情報領域には何も記録されておらず、Ｌ１用層情報領域にはＬ１用層情報が記録されている。そして、Ｌ０用層情報領域にはレーザ跡が存在している。
【００９６】
さらに、レーザ光の入射側から見て、一番奥の記録層である記録層Ｌ０では、空白領域とＬ２用層情報領域とＬ１用層情報領域には何も記録されておらず、Ｌ０用層情報領域にはＬ０用層情報が記録されている。
【００９７】
このように記録層Ｌ０，Ｌ１，Ｌ２において形成された空白領域は、以下のように説明することもできる。すなわち、各記録層においては、当該記録層に対してレーザの入射方向に関する手前側にて位置する記録層に係るマーク群に対向する領域が、何も記録されていない空白領域として配置されているのである。
【００９８】
つまり、記録層Ｌ１においては、記録層Ｌ２（記録層Ｌ１に対してレーザの入射方向に関する手前側に位置する記録層）に記録されたマーク群に対向する領域が、何も記録されていない空白領域として配置されている。また、記録層Ｌ０においては、記録層Ｌ１（記録層Ｌ０に対してレーザの入射方向に関する手前側に位置する記録層）に記録されたマーク群に対向する領域が、何も記録されていない空白領域として配置されている。
【００９９】
そして、記録層Ｌ１に関して説明すれば、空白領域よりも光ディスクの回転方向の上流側に、マーク群が配置されている。同様に、記録層Ｌ０に関しても、空白領域よりも光ディスクの回転方向の上流側に、マーク群が配置されている。
【０１００】
このように各記録層に空白領域を設けることにより、各層の層情報領域に記録されている層情報を後述する光ディスク装置１が読み出す場合、何も記録されていない空白領域の次に現れる層情報記録領域から読み出される情報を、層情報として再生することが可能となる。
【０１０１】
なお、前記の例では、空白領域、Ｌ０用層情報領域、Ｌ１用層情報領域、およびＬ２用層情報領域が周方向で均等な大きさに配置されている場合を示したが、本発明はこれに限定されるものではなく、本発明の範囲内で種々の変更が可能である。すなわち、それぞれの領域の広さは任意であってよい。また、空白領域、Ｌ０用層情報領域、Ｌ１用層情報領域、およびＬ２用層情報領域は、周方向にそれぞれ１つずつでなくてもよく、それぞれ複数個存在していても良い。
【０１０２】
次に、空白領域を層情報の検出に用いない場合について説明する。例えば、記録層Ｌ２からＬ２用層情報を再生したいとき、空白領域がないため、記録層Ｌ２には、Ｌ２用層情報と、記録層Ｌ２に残るレーザ跡から記録層Ｌ１に記録したはずのＬ１用層情報と、記録層Ｌ０に記録したはずのＬ０用層情報の情報のみが含まれることになる。この場合、Ｌ２用層情報だけでなく、記録層Ｌ２に残るレーザ跡から、記録層Ｌ１に記録したはずのＬ１用層情報や、記録層Ｌ０に記録したはずのＬ０用層情報が、誤って検出できてしまう可能性がある。この場合、検出できた層情報（Ｌ２用層情報、Ｌ１用層情報、Ｌ０用層情報）の中から、レーザ光の入射側から見て最も手前の記録層を示す層情報、つまり、Ｌ２用層情報を、正しい層情報として採用する。これにより、層情報の誤検出を防止することができる。
【０１０３】
この検出方法を採用すれば、空白領域を層情報の検出に用いなくても、その記録層の層情報を検出することができる。また、検出できた層情報の中から、レーザ光の入射側から見て最も手前の記録層を示す層情報を正しい層情報として採用すればよいため、周方向での各記録層の層情報領域の順番に関わらず、その記録層の層情報を検出することができる。
【０１０４】
なお、Ｌ０用層情報領域、Ｌ１用層情報領域、Ｌ２用層情報領域に記録されているＢＣＡコード（マーク群）が、他の記録層のＢＣＡコードと「重ならないように配置されている」とは、ＢＣＡコード同士が厳密な意味において重ならないことを要求するものではない。すなわち、少なくとも後述する光ディスク装置１が必要な各層情報を読み出せる程度であれば、お互いの領域にはみ出してＢＣＡコードが記録されていてもよい。
【０１０５】
〔光ディスク装置の記録動作〕
図１及び図２に基づき、本発明の実施形態１に係る光ディスク装置（記録装置、再生装置）１の構成について説明する。なお、説明の便宜上、前記の図面に示した部材と同一の機能を有する部材については、同一の符号を付し、その説明を省略する。
【０１０６】
図１は、本実施形態に係る光ディスク装置１の概略構成を示すブロック図である。光ディスク装置１は、光ディスク１０を含むＤＶＤやＢＤなどの光ディスクに対して情報の記録及び再生を行う装置である。そして、図１に示すように、光ディスク装置１は、ディスク装填認識部３０と、記録再生回路群１６と、光ヘッド１１と、光ピックアップ１２と、制御部２０と、格納部１７と、操作部１８とを備えている。また、記録再生回路群１６は、主として光ピックアップ駆動回路１３と、レーザ駆動回路１４と、再生回路１５とを備えている。
【０１０７】
そして、図１に示すように、光ディスク装置１では、回転する光ディスク１０の図示しないトラックへ、制御部２０が光ピックアップ駆動回路１３を介して光ピックアップ１２を移動させるようになっている。
【０１０８】
光ピックアップ１２には、光ヘッド１１が設けられている。そして、制御部２０がレーザ駆動回路１４を介して記録条件を設定し、光ヘッド１１から記録用のレーザ光を光ディスク１０の記録部位に照射することによって、光ディスク１０のトラックに情報が記録されるようになっている。
【０１０９】
また、光ディスク装置１においては、制御部２０が光ピックアップ駆動回路１３を介した制御を行うことにより、光ピックアップ１２を光ディスク１０の記録部位へ移動させる。そして、制御部２０がレーザ駆動回路１４を介した指示を行うことにより、光ヘッド１１から再生用のレーザ光を光ディスク１０に照射するようになっている。
【０１１０】
光ヘッド１１が検出した反射光は、再生回路１５にて再生信号に変換され、制御部２０に入力される。これにより、光ディスク装置１は、光ディスク１０のトラックに記録された情報を再生するようになっている。
【０１１１】
また、光ディスク装置１には、ディスク装填認識部３０が設けられている。ディスク装填認識部３０は、光ディスク１０の装填を検出するためのものである。ディスク装填認識部３０としては、例えば、各種センサが例示できるが、光ディスク１０の装填を検出できるものであれば、どのようなセンサを用いても良い。そして、ディスク装填認識部３０は、検出した結果を検出信号として制御部２０へ出力するようになっている。
【０１１２】
格納部１７は、プログラムやデータ等の各種情報が予め記録されている又は各種情報が記録される記録部である。格納部１７は、ＲＡＭ（ｒａｎｄｏｍ  ａｃｃｅｓｓ  ｍｅｍｏｒｙ）で構成されていることが好ましいが、ＲＯＭを併用する構成であっても良い。
【０１１３】
操作部１８は、ユーザが、光ディスク装置１に各種の操作命令を入力するためのものであり、例えば、操作ボタンとそのインターフェースなどである。
【０１１４】
次に、図２に基づき、光ディスク装置１における主要部（制御部２０など）の詳細についてより具体的に説明する。図２は、光ディスク装置１における主要部の構成を示すブロック図である。
【０１１５】
図２に示すように、制御部２０は、ディスク管理部（記録層特定手段）２１と、再生制御部（層情報再生手段、記録層移動手段、データ再生手段）２２と、光ピックアップ制御部２３と、レーザ制御部２４と、記録制御部（データ記録手段）２５とを備えている。
【０１１６】
ディスク管理部２１は、ディスク装填認識部３０から光ディスク１０が装填されたことを示す検出信号を受信したり、光ディスク１０から取得した層情報から光ディスク１０の構造やアクセスしている記録層を、層番号（層識別情報）から特定したりするものである。これにより、ディスク管理部２１は、再生制御部２２や記録制御部２５などを動作の制御などを行うものである。
【０１１７】
再生制御部２２は、層情報再生指示部２２１と、層間移動指示部２２２と、再生データ処理部２２３とを備えている。そして、再生制御部２２は、層情報再生指示部２２１、層間移動指示部２２２、および再生データ処理部２２３を動作させることにより、光ディスク１０から層情報を取得したり、光ディスク１０の各記録層を再生したデータを取得したりする制御を行うものである。
【０１１８】
層情報再生指示部２２１は、光ピックアップ制御部２３やレーザ制御部２４に指示を与えることにより、光ディスク１０のＢＣＡ領域４１に記録されている層情報の再生を制御するものである。これにより、光ディスク装置１は、層情報を取得できるので、光ディスク１０の構造や、アクセスしている記録層を特定することができる。
【０１１９】
また、層間移動指示部２２２は、ディスク管理部２１によって光ディスク１０の構造が特定された場合に、ディスク管理部２１からその旨の通知（媒体構造特定通知）およびその光ディスク１０の構造に関する情報を受信するものである。そして、層間移動指示部２２２は、その受信結果に基づき光ピックアップ制御部２３やレーザ制御部２４に指示を与えることにより、再生光の光スポット位置を所望の記録層へ層間移動させる制御を行うものである。
【０１２０】
また、再生データ処理部２２３は、再生回路１５から送信される各種再生データを処理（例えば、再生信号の補正処理や、アナログ／デジタル変換など）して、格納部１７に処理を行った再生データを記録させるものである。また、格納部１７は、主として後述する層情報再生データ記憶部３１を含んでいる。なお、これらの各記憶部に記録される情報以外の情報が格納部１７に記録される場合もあることは言うまでもない。
【０１２１】
次に、前記光ディスク装置１における記録の具体的動作を図１４に示すフローチャートに基づいて説明する。
【０１２２】
まず、光ディスク装置１は、再生制御部２２の制御により、記録層の層情報を再生する（Ｓ１）。続いて、ディスク管理部２１にて再生した層情報から現在アクセスしている記録層を特定する（Ｓ２）。特定した記録層が、データの記録を行いたい所望の記録層であるかどうかを判定する（Ｓ３）。現在アクセスしている記録層が、所望の記録層である場合は、ユーザ領域４２に光ピックアップ１２を移動させて、記録制御部２５の制御により記録を行う（Ｓ４）。もし、異なる記録層である場合は、再生制御部２２の制御により、層の移動を行う（Ｓ５）。
【０１２３】
以上によれば、光ディスク１０（情報記録媒体）の各記録層における層情報記録領域にマーク群として記録されている層情報を読み出すことができ、読み出した層情報により、所望の記録層へアクセスすることができ、所望の記録層のユーザ領域４２への記録が可能となる。
【０１２４】
なお、前記の光ディスク装置１０は、所望の記録層のユーザ領域４２に対して記録するデータに、その記録層を示す層識別情報を含めてもよい。これにより、ユーザ領域４２に層識別情報が予め記録されていない光ディスクであったとしても、ユーザ領域４２に記録された、記録層を示す層識別情報を含むデータを再生することによって、その記録層を示す層識別情報を検出し、その記録層を特定することが可能となる。
【０１２５】
〔光ディスク装置の再生動作〕
次に、前記光ディスク装置１における再生の具体的動作を図１５に示すフローチャートに基づいて説明する。
【０１２６】
まず、光ディスク装置１は、再生制御部２２の制御により、記録層の層情報を再生する（Ｓ１１）。続いて、ディスク管理部２１にて再生した層情報から現在アクセスしている記録層を特定する（Ｓ１２）。特定した記録層が、データの再生を行いたい所望の記録層であるかどうかを判定する（Ｓ１３）。現在アクセスしている記録層が、所望の記録層である場合は、ユーザ領域４２に光ピックアップ１２を移動させて、再生制御部２５の制御によりデータの再生を行う（Ｓ１４）。もし、異なる記録層である場合は、再生制御部２２の制御により、層の移動を行う（Ｓ１５）。
【０１２７】
以上によれば、光ディスク１０（情報記録媒体）の各記録層における層情報記録領域にマーク群として記録されている層情報を読み出すことができ、読み出した層情報に基づき、所望の記録層へアクセスすることができ、所望の記録層のユーザ領域４２のデータの再生が可能となる。
【０１２８】
（実施形態２）
本発明の実施の他の実施形態について図１６および１７を用いて説明すれば、以下の通りである。なお、本実施形態において説明すること以外の構成は、前記実施形態１と同じである。したがって、説明の便宜上、前記の実施形態１の図面に示した部材と同一の機能を有する部材については、同一の符号を付し、その説明を省略する。
【０１２９】
本実施形態では、複数の記録層を備える光ディスクとして、記録層とガイド層とが分離形成されたガイド層分離型の光ディスクを使用する場合について説明する。
【０１３０】
〔ガイド層分離型光ディスクの構造〕
本発明の対象となる複数の記録層を持つ光ディスク（情報記録媒体）の一例として、片面から再生することのできる３層の記録層と１層のガイド層（サーボガイド層）を持つ光ディスク１００について説明する。
【０１３１】
光ディスク１００は、図１６に示す如く、基板上に形成された反射層を伴うガイド層と、３面の記録層（記録層Ｌ０，Ｌ１，Ｌ２）とを備えている片面３層光ディスクである。すなわち、光ディスク１００においては、基板の上に反射層を伴ったガイド層が形成されており、該ガイド層上に半透明状態の反射層を伴った記録層Ｌ０と、該記録層Ｌ０上に半透明状態の反射層を伴った記録層Ｌ１および記録層Ｌ２が配置されている。そして、記録層Ｌ０と記録層Ｌ１との間、および、記録層Ｌ１と記録層Ｌ２との間には、数十μｍ程度の透明状態の中間層が挟み込まれている。
【０１３２】
この片面３層光ディスク１００は、片面からレーザ光を照射することによって各記録層に記録された情報を再生可能であり、記録層Ｌ０、記録層Ｌ１、および記録層Ｌ２はレーザ光の一部が半透明状態により透過する構造である。
【０１３３】
また、ガイド層にはガイドトラックが配置されている。そして、各記録層へフォーカスするためのレーザ光とは別の、ガイドトラックを読み取るためのサーボ用レーザ光をガイドトラックに照射することで、所望の半径位置を特定することができる構造になっている。
【０１３４】
この光ディスク１００では、実施形態１の図６乃至１０と同様、内周側のＢＣＡ領域４１を周方向に４個の領域に分割し、Ｌ０用層情報領域、Ｌ１用層情報領域、Ｌ２用層情報領域に、各層情報がＢＣＡコードで記録される。
【０１３５】
また、ガイド層分離型の光ディスク１００は、簡単な構造の記録層を積層するため、各記録層を区別するためのディスク情報（層識別情報）を凹凸やウォブルの形でユーザ領域４２に持たない。
【０１３６】
〔ガイド層付き光ディスク装置の構造〕
図１７に基づき、本発明の実施形態２であるガイド層付き光ディスクに対応する光ディスク装置（記録装置、再生装置）１０１の構成について説明する。なお、説明の便宜上、前記の図面に示した部材と同一の機能を有する部材については、同一の符号を付し、その説明を省略する。
【０１３７】
図１７は、ガイド層付き光ディスクに対応した光ディスク装置１０１の本実施形態の概略構成を示すブロック図である。
【０１３８】
図１７に示すように、光ディスク装置１０１は、ディスク装填認識部１３０、光ヘッド１１１と、光ピックアップ１１２とを備えており、その他は図１の光ディスク装置１と共通である。
【０１３９】
また、図１７に示すように、ガイド層付き光ディスクに対応する光ディスク装置１０１では、回転する光ディスク１００のガイド層のトラックへ、ガイド層用レーザ光を用いて光ピックアップ１１２を移動させるようになっている。
【０１４０】
そして、光ピックアップ１１２には、光ヘッド１１１が設けられている。この光ピックアップにより、ガイド層用レーザ光の照射が行われる。さらに、光ピックアップは、レーザ駆動回路１４を介した制御により、記録・再生用レーザ光を光ディスク１００の所望の１つの記録層にフォーカスして照射するようになっている。
【０１４１】
また、光ヘッド１１１が検出した反射光は、再生回路１５に入力され再生信号に変換される。
【０１４２】
さらに、光ディスク装置１０１には、ディスク装填認識部１３０が設けられている。ディスク装填認識部１３０は、光ディスク１００の装填を検出するためのものであり、例えば、各種センサが例示できるが、光ディスク１０の装填を検出できるものであれば、どのようなセンサを用いても良い。また、ディスク装填認識部１３０は、検出した結果を検出信号として制御部２０へ出力するようになっている。
【０１４３】
なお、光ディスク装置１０１における記録の具体的動作、および、再生の具体的動作は、実施形態１に記載の、光ディスク装置１における記録の具体的動作、および、再生の具体的動作と変わらない。
【０１４４】
前記の構成によれば、光ディスク装置１０１は、ガイド層に配置されたガイドトラックに対して、各記録層へフォーカスするためのレーザ光とは別の、ガイドトラックを読み取るためのサーボ用レーザ光を照射することで、所望の半径位置を特定することができる構造になっている。よって、簡単な構造の記録層を積層するため、各記録層を区別するためのディスク情報（層識別情報）を凹凸やウォブルの形でユーザ領域４２に持たない光ディスク１００（情報記録媒体）であっても、各記録層における層情報記録領域にマーク群として記録されている層情報を読み出すことができる。そして、読み出した層情報に基づき、所望の記録層へアクセスすることができる。それゆえ、各記録層を区別するための層識別情報を、所望の記録層の凹凸やウォブルの形で持たないユーザ領域４２へのデータの記録、および、記録されたデータの再生が可能となる。
【０１４５】
なお、本実施形態は本発明の範囲を限定するものではなく、本発明の範囲内で種々の変更が可能である。
【０１４６】
たとえば、前記実施形態においては、記録層が３層の光ディスクを例に説明したが、記録層は複数であればよい。また、片面からレーザ光を照射することによって各記録層に対して記録および再生を行う光ディスクの構造を例に説明したが、２枚の片面ディスクを逆向きに貼り合わせ、両面からレーザ光を照射し、記録および再生を行う構造にしても良い。
【０１４７】
さらに、本実施形態の情報記録媒体に記録されるマーク群は、ディスクの回転中心から放射上に延びるバーコード状の物理マークである場合を例に説明したが、これに限定されるものではない。すなわち、マーク群は、光ディスクを回転させたときに容易に検出できるよう、半径方向に所定の幅を持っていればよい。
【０１４８】
また、前記再生装置、記録装置、マーク形成装置は、各機能を実現する制御プログラムの命令を実行するＣＰＵ、前記プログラムを格納したＲＯＭ、前記プログラムを展開するＲＡＭ、前記プログラムおよび各種データを格納するメモリ等の記憶装置（記録媒体）などを備えている。
【０１４９】
そして、本発明の目的は、上述した機能を実現するソフトウエアである制御プログラムのプログラムコード（実行形式プログラム、中間コードプログラム、ソースプログラム）をコンピュータで読み取り可能に記録した記録媒体を、前記装置に供給し、そのコンピュータが記録媒体に記録されているプログラムコードを読み出し実行することによっても、達成可能である。この場合、記録媒体から読み出されたプログラムコード自体が上述した機能を実現することになり、そのプログラムコードを記録した記録媒体は本発明を構成することになる。
【０１５０】
ここで、前記プログラムメディアとしての記録媒体は、本体と分離可能に構成される記録媒体であり、磁気テープやカセットテープ等のテープ系、フロッピー（登録商標）ディスクやハードディスク等の磁気ディスクやＣＤ−ＲＯＭ／ＭＯ／ＭＤ／ＤＶＤ／ＢＤ等の光ディスクのディスク系、ＩＣカード（メモリカードを含む）／光カード等のカード系、あるいはマスクＲＯＭ、ＥＰＲＯＭ、ＥＥＰＲＯＭ、フラッシュＲＯＭ等による半導体メモリを含めた固定的にプログラムを担持する媒体であってもよい。
【０１５１】
また、本実施の形態の制御プログラムは、前記記載の光ディスク装置を動作させる制御プログラムであって、コンピュータを前記の各手段として機能させる。したがって、コンピュータを前記の各手段として機能させる制御プログラムを提供することができる。
【０１５２】
また、本実施の形態のコンピュータ読み取り可能な記録媒体は、前記記載の制御プログラムを記録したものである。たがって、制御プログラムを記録したコンピュータ読み取り可能な記録媒体を提供することができる。
【０１５３】
なお、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的手段に含まれる。
【０１５４】
なお、本発明は、以下のように表現することもできる。
【０１５５】
すなわち、本発明の情報記録媒体は、複数の記録層を持つ情報記録媒体であって、各記録層にその層に関連する層情報がマーク群として記録されており、前記マーク群は、所定半径位置範囲内を周方向に分割した領域内に、レーザの入射側から見て他の記録層のマーク群と重ならないように配置されている構成であってもよい。
【０１５６】
前記構成によれば、光ディスク装置が、光ディスクの所定半径位置範囲内にアクセスし、その範囲内に記録されているＢＣＡコード（マーク群）を再生することにより、レーザ光の入射側から見て奥の記録層にＢＣＡコードを記録したときに与えられた手前の記録層へのダメージの影響を受けることなく、アクセスしている記録層に関連する層情報を正しく取得することが可能となる。また、奥の記録層と手前の記録層のＢＣＡコードが周方向にずらされて記録されていることで、ＢＣＡコードを記録するための領域を小さくすることができ、その結果、ユーザデータを記録するための領域をより多く確保することが可能となる。
【０１５７】
また、本発明の情報記録媒体は、さらに、前記マーク群が、所定半径位置範囲内を周方向に前記記録層の数よりも少なくとも１つ多く分割した領域内に、レーザの入射側から見て他の記録層のマーク群と重ならないように配置されており、レーザの入射側から一番奥の記録層から手前の記録層になるにつれて、各記録層のマーク群が、レーザの入射側から見て該情報記録媒体の回転方向の領域に配置されている構成であってもよい。
【０１５８】
前記構成によれば、光ディスク装置が、本情報記録媒体のある記録層の層情報領域に記録されているＢＣＡコード（マーク群）を読み出す場合、何も記録されていない領域の後に再生されるＢＣＡコードを読み出すことによって、レーザ光の入射側から見て奥の記録層にＢＣＡコードを記録したときに与えられた現在アクセスしている記録層へのダメージを、誤って現在アクセスしている記録層の層情報であると誤検出することなく、正しく層情報を検出することが可能となる。
【０１５９】
また、本発明の情報記録媒体は、さらに、前記マーク群が、前記情報記録媒体の回転中心から放射上に延びるバーコード状の物理マークである構成であってもよい。
【０１６０】
前記構成によれば、光ディスク装置は、ＢＣＡコードが記録されている領域でトラッキングサーボをかけることなく、ＢＣＡコードを容易に読み取ることが可能となる。
【０１６１】
また、本発明の情報記録媒体は、さらに、アドレス情報を含むガイドトラックを有するガイド層と、複数の記録層を備える情報記録媒体であって、前記層情報は、それぞれの記録層を識別するための層識別情報を含み、前記半径位置範囲外には前記層識別情報は記録されていない構成であってもよい。
【０１６２】
前記構成によれば、各記録層を区別するための層識別情報を凹凸やウォブルの形で持たせる必要がなく、簡単な構造の記録層を積層することができるため、容易に製造することが可能となる。
【０１６３】
また、本発明の再生装置は、前記の情報記録媒体の前記層情報を再生する層情報再生手段と、前記層情報再生手段にて再生された前記層情報により、アクセスしている記録層を特定する記録層特定手段と、所望記録層に移動する記録層移動手段と、前記記録層特定手段にて特定された前記所望記録層の前記半径位置範囲外に記録されているデータを再生する再生手段とを具備する構成であってもよい。
【０１６４】
また、本発明の再生方法は、前記の情報記録媒体の前記層情報を再生する層情報再生ステップと、前記層情報再生ステップにて再生された前記層情報により、アクセスしている記録層を特定する記録層特定ステップと、所望記録層に移動する記録層移動ステップと、前記記録層特定ステップにて特定された前記所望記録層の前記半径位置範囲外に記録されているデータを再生する再生ステップとを含む構成であってもよい。
【０１６５】
前記構成及び方法によれば、光ディスク装置が、光ディスクの所定半径位置範囲内にアクセスし、その範囲内に記録されているＢＣＡコード（マーク群）を再生することにより、レーザ光の入射側から見て奥の記録層にＢＣＡコードを記録したときに与えられた手前の記録層へのダメージの影響を受けることなく、アクセスしている記録層に関連する層情報を正しく取得することができ、その記録層を特定することによって、その記録層が所望の記録層でなければ、所望の記録層に移動し、所望の記録層のユーザデータの記録されている領域に容易に光ピックアップを移動させることができ、そのデータを再生することが可能となる。
【０１６６】
また、本発明の記録装置は、前記の情報記録媒体の前記層情報を再生する層情報再生手段と、前記層情報再生手段にて再生された前記層情報により、アクセスしている記録層を特定する記録層特定手段と、所望記録層に移動する記録層移動手段と、前記記録層特定手段にて特定された前記所望記録層の前記半径位置範囲外に光ピックアップを移動させ、記録を行う記録手段とを具備する構成であってもよい。
【０１６７】
また、本発明の記録方法は、前記の情報記録媒体の前記層情報を再生する層情報再生ステップと、前記層情報再生ステップにて再生された前記層情報により、アクセスしている記録層を特定する記録層特定ステップと、所望記録層に移動する記録層移動ステップと、前記記録層特定手段にて特定された前記所望記録層の前記半径位置範囲外に光ピックアップを移動させ、記録を行う記録ステップとを含む構成であってもよい。
【０１６８】
前記構成及び方法によれば、光ディスク装置が、光ディスクの所定半径位置範囲内にアクセスし、その範囲内に記録されているＢＣＡコード（マーク群）を再生することにより、レーザ光の入射側から見て奥の記録層にＢＣＡコードを記録したときに与えられた手前の記録層へのダメージの影響を受けることなく、アクセスしている記録層に関連する層情報を正しく取得することができ、その記録層を特定することによって、その記録層が所望の記録層でなければ、所望の記録層に移動し、所望の記録層のユーザ領域に容易に光ピックアップを移動させることができ、ユーザデータを記録することが可能となる。
【０１６９】
また、本発明の再生装置、および、記録装置は、さらに、前記記録層特定手段は、前記マーク群の記録されていない領域の後に再生されるマーク群に含まれる層情報を再生し、アクセスしている記録層を特定する構成であってもよい。
【０１７０】
前記構成によれば、ある記録層の層情報領域に記録されているＢＣＡコード（マーク群）を読み出す場合、何も記録されていない領域の後に再生されるＢＣＡコードを読み出すことによって、レーザ光の入射側から見て奥の記録層にＢＣＡコードを記録したときに与えられた現在アクセスしている記録層へのダメージを、誤って現在アクセスしている記録層の層情報であると誤検出することなく、正しく層情報を検出することが可能となる。
【０１７１】
また、本発明の記録装置は、さらに、前記記録手段が、前記記録層特定手段で特定された記録層を示す層識別情報を含むデータを前記半径位置範囲外に記録する構成であってもよい。
【０１７２】
前記構成によれば、ユーザ領域に層識別情報が予め記録されていない光ディスクであったとしても、光ディスク装置が記録されたデータを再生することによって、その記録層を示す層識別情報を検出し、その記録層を特定することが可能となる。
【０１７３】
また、本発明のマーク形成装置は、複数の記録層を持つ情報記録媒体のうち、所定半径位置範囲内を周方向に分割した領域内に、レーザの入射側から見て他の記録層のマーク群と重ならないように配置されるよう、各記録層のマーク群の領域を指定する領域指定手段と、各記録層にマーク群を形成するマーク記録手段とを備える構成であってもよい。
【０１７４】
前記構成によれば、光ディスク装置が、光ディスクの所定半径位置範囲内にアクセスし、その範囲内に記録されているＢＣＡコード（マーク群）を再生することにより、レーザ光の入射側から見て奥の記録層にＢＣＡコードを記録したときに与えられた手前の記録層へのダメージの影響を受けることなく、アクセスしている記録層に関連する層情報を正しく取得することを実現できるＢＣＡコードを、光ディスクに形成することが可能となる。また、奥の記録層と手前の記録層のＢＣＡコードが周方向にずらされて記録されていることで、ＢＣＡコードを記録するための領域を小さくすることができ、その結果、ユーザデータを記録するための領域をより多く確保することが可能となる。
【産業上の利用可能性】
【０１７５】
本発明によれば、ＢＣＡコードを記録する際に各記録層に与えられるダメージの影響を受けることなくＢＣＡコードを取得することができ、なおかつ大容量の情報記録媒体を提供することができる。
【符号の説明】
【０１７６】
１  光ディスク装置
１０  光ディスク
１１  光ヘッド
１２  光ピックアップ
１３  光ピックアップ駆動回路
１４  レーザ駆動回路
１５  再生回路
１６  記録再生回路群
１７  格納部
１８  操作部
２０  制御部
３０  ディスク装填認識部
４１  ＢＣＡ領域
４２  ユーザ領域
５０  ＢＣＡコード記録装置
１００  光ディスク
１０１  光ディスク装置
Ｌ０，Ｌ１，Ｌ２  記録層
【図１】
2013105505.tif 000003
【図２】
2013105505.tif 000004
【図３】
2013105505.tif 000005
【図４】
2013105505.tif 000006
【図５】
2013105505.tif 000007
【図６】
2013105505.tif 000008
【図７】
2013105505.tif 000009
【図８】
2013105505.tif 000010
【図９】
2013105505.tif 000011
【図１０】
2013105505.tif 000012
【図１１】
2013105505.tif 000013
【図１２】
2013105505.tif 000014
【図１３】
2013105505.tif 000015
【図１４】
2013105505.tif 000016
【図１５】
2013105505.tif 000017
【図１６】
2013105505.tif 000018
【図１７】
2013105505.tif 000019